【事件の表示】
　特願２００５−１１５０１４号「外気導入型空調機及び空調システム」拒絶査定不服審判事件〔平成１８年１０月２６日出願公開、特開２００６−２９２３００号〕について、次のとおり審決する。
【結　論】
　本件審判の請求は、成り立たない。
【理　由】
第１　手続の経緯
　本件出願は、平成１７年４月１２日の出願であって、平成２２年５月１９日付けで拒絶査定がされ、この査定に対し、平成２２年８月１８日に本件審判が請求がなされたものである。
　
第２　本願発明について
１．本願発明
　本件出願の請求項１〜４に係る発明は、平成２２年４月５日付け手続補正書により補正された特許請求の範囲の請求項１〜４に記載された事項により特定されるものと認められるところ、そのうちの請求項１に係る発明（以下「本願発明」という。）は、次のとおりである。
　「【請求項１】
　外気を導入して冷媒により冷却あるいは加熱する直膨コイルと、
　この直膨コイルで冷却あるいは加熱された外気と室内からの還気とを混合させて混合空気を生成する混合機構と、
　生成された混合空気を導入して冷水又は温水により冷却又は加温して前記室内への給気温度を調節する冷温水コイルと、
　前記直膨コイルに冷媒を循環させるために設けられたコンプレッサ及び凝縮器の少なくとも何れかを前記冷温水コイルの冷却あるいは加熱後の還り冷水により冷却あるいは加熱する機構と
　を具備することを特徴とする外気導入型空調機。」
　
２．　引用刊行物とその記載事項
（１）原査定の拒絶の理由に引用された、本願出願前に頒布された刊行物である特開平１１−２４８１９２号公報（以下「刊行物１」という。）には、２管式空調システムに適用可能で、冷暖房可能で、負荷の異なる空調系統にそれぞれ独立に給気可能で、より効果的な外気冷房効果を得ることができる空調機に関し、図面とともに、次の技術的事項が記載されている。
　（ア）「【００１３】
【課題を解決するための手段】本発明は前記課題を解決するために、以下の手段を採用した。本発明に係る空調機は、（ア）還気取入口と外気取入口とインテリア側吹出口とペリメータ側吹出口を有するケーシングと、（イ）前記ケーシング内に設けられ前記還気取入口に接続された還気通路と、（ウ）前記ケーシング内に設けられ前記外気取入口に接続された外気通路と、（エ）前記ケーシング内に設けられ前記インテリア側吹出口に接続されたインテリア送風路と、（オ）前記ケーシング内に設けられインテリア側吹出口から空気を給気するためのインテリア側送風手段と、（カ）前記ケーシング内に設けられ前記ペリメータ側吹出口と前記還気通路とを接続するペリメータ送風路と、（キ）前記ケーシング内に設けられペリメータ側吹出口から空気を給気するためのペリメータ側送風手段と、（ク）前記外気通路と前記インテリア送風路とを連通・遮断する外気・インテリア開閉手段と、（ケ）前記還気通路と前記外気通路とを連通・遮断する還気・外気開閉手段と、（コ）前記インテリア送風路と前記ペリメータ送風路とを連通・遮断するインテリア・ペリメータ開閉手段と、（サ）前記外気通路内に設置され外気と熱媒の間で熱交換する空気・熱媒熱交換器と、（シ）前記還気通路と前記ペリメータ送風路との間に設けられ還気と熱源水の間で熱交換する第１の空気・水熱交換器と、（ス）前記空気・熱媒熱交換器と、熱源水と熱媒の間で熱交換する水・熱媒熱交換器と、圧縮機と、熱媒流路切替手段とを閉ループに接続して構成される熱媒回路であって、前記熱媒流路切替手段によって、前記空気・熱媒熱交換器を蒸発器として機能させ前記水・熱媒熱交換器を凝縮器として機能させる第１の熱媒流路と、前記空気・熱媒熱交換器を凝縮器として機能させ前記水・熱媒熱交換器を蒸発器として機能させる第２の熱媒流路、に切り替えることができる熱媒回路と、を備えることを特徴とする。」
　（イ）「【０００２】
【従来の技術】近年、省エネルギー、省資源型の空調システムを開発するにあたり、単にエネルギーの消費量にとらわれるのではなく、エネルギーの有効利用にとってエネルギーの質が重要な問題とされている。そこで、最近では、エネルギーの質を考慮したエクセルギーの概念を取り入れた空調システムが提案されている。
【０００３】かかるエクセルギーの概念を取り入れた空調システム及び空調機の一例が、特開平９−１０５５３９号公報に開示されている。」
　（ウ）「【００１４】この空調機では、外気と還気を混合する前に、外気だけを空気・熱媒熱交換器によって温度調節することができる。」
　（エ）「【００１８】本発明に係る空調機においては、前記空気・熱媒熱交換器の上流に位置する前記外気通路内に、外気と熱源水の間で熱交換する第２の空気・水熱交換器を設置することも可能である。」
　（オ）「【００３５】そして、蓄熱槽１０２の熱源水は循環ポンプ１０３でポンプアップされ、熱源水往管１０４を通り第１熱交換器１４、第２熱交換器１５に供給されるようになっている。・・・
【００３６】一方、第３熱交換器１９はコイル式の空気・熱媒熱交換器であり、コイルに冷媒を通して、コイルの周囲を通る空気と熱交換を行い、空気を加温あるいは冷却するものである。この第３熱交換器１９は、圧縮機３０と冷媒流路切替弁（熱媒流路切替手段）３１と第４熱交換器（水・熱媒熱交換器）３２と膨張弁３３とこれらを接続する冷媒管３４とともに、閉ループの冷媒回路（熱媒回路）３５を構成する。第４熱交換器３２は、熱源水と冷媒とを間接的に接触させて両者間で熱交換を行う水・冷媒熱交換器であり、この第４熱交換器３２には熱源水往管１０４から熱源水が供給可能であり、第４熱交換器３２で熱交換した後の熱源水は流量制御弁２８を通り、熱源水還管１０５を介して蓄熱槽１０２に戻る。」
　（カ）「【００５２】第１の運転状態の時には、３つのダンパ２０，２１，２２の開閉状態は図１に示すようになり、また、冷媒流路切替弁３１は図１に示すように冷房モードであり、さらに、第１熱交換器１４と第２熱交換器１５と第４熱交換器３２には熱源水として冷水が供給される。
【００５３】・・・第３熱交換器１９の稼働は、圧縮機３０を運転して冷媒回路３５に冷媒を流すとともに、流量制御弁２８を開弁して第４熱交換器３２に熱源水を供給することにより実行される。」
　（キ）「【００５５】・・・外気負荷が大きくて第２熱交換器１５による冷却だけでは足りない場合には、第３熱交換器１９を稼働する。圧縮機３０から第４熱交換器３２に供給された冷媒は、凝縮器として機能する第４熱交換器３２において冷却されて液化し、液化した冷媒は蒸発器として機能する第３熱交換器１９において外気と熱交換して気化し、その際に外気を冷却する。・・・第３熱交換器１９は冷却除湿による潜熱処理を行う。」
　（ク）「【００５６】外気負荷を処理された外気は、開口６ａを介して還気通路７内に流入し還気と合流する。外気と還気の混合空気は第１熱交換器１４を通過してペリメータ送風路１０に導入される。前記混合空気は、第１熱交換器１４を通過する際に第１熱交換器１４のコイルを流れる冷水によって設定温度に冷却される。・・・
【００５７】設定温度に調節された混合空気の一部は、・・・ペリメータゾーンを冷房する。設定温度に調節された残りの混合空気は、・・・インテリアゾーンを冷房する。」
　
　・記載事項（キ）の「第３熱交換器１９」は、記載事項（オ）の「コイル式の空気・熱媒熱交換器」であり、記載事項（キ）の「圧縮機３０から第４熱交換器３２に供給された冷媒は、凝縮器として機能する第４熱交換器３２において冷却されて液化し、液化した冷媒は蒸発器として機能する第３熱交換器１９において外気と熱交換して気化し、その際に外気を冷却する」ものであるので、外気を冷媒により冷却するコイル式の第３熱交換器１９といえる。
　・記載事項（ク）の「還気通路７」は、「外気負荷を処理された外気」を「開口６ａを介して還気通路７内に流入し還気と合流」させ「外気と還気の混合空気」とするものであって、その外気は、記載事項（ク）の「第３熱交換器１９において・・・外気を冷却」したものであるので、第３熱交換器１９で冷却された外気と還気とを合流させ混合空気とする還気通路７といえる。
　・記載事項（ク）の「第１熱交換器１４のコイル」は、「前記混合空気は、第１熱交換器１４を通過する際に第１熱交換器１４のコイルを流れる冷水によって設定温度に冷却される。」ものであるので、混合空気を導入して冷水によって冷却して設定温度にする第１熱交換器１４のコイルといえる。
　・記載事項（カ）の「流量制御弁２８」は、「流量制御弁２８を開弁して第４熱交換器３２に熱源水を供給する」ものであって、その「熱源水」は、「熱源水として冷水が供給される」と記載される様に「冷水」であり、また、その「第４熱交換器３２」は、記載事項（キ）の「圧縮機３０から第４熱交換器３２に供給された冷媒は、凝縮器として機能する第４熱交換器３２において冷却されて液化し、液化した冷媒は蒸発器として機能する第３熱交換器１９において外気と熱交換して気化し、その際に外気を冷却する」ものであるので、「流量制御弁２８」は、凝縮器として機能する第４熱交換器３２を冷水により冷却する機構といえる。
　
　すると、上記の事項を総合すると刊行物１には、次の発明（以下「引用発明」という。）が開示されているものということができる。
　「外気を冷媒により冷却するコイル式の第３熱交換器１９と、
　第３熱交換器１９で冷却された外気と還気とを合流させ混合空気とする還気通路７と、
　混合空気を導入して冷水によって冷却して設定温度にする第１熱交換器１４のコイルと、
　凝縮器として機能する第４熱交換器３２を冷水により冷却する機構と
　を具備する空調機。」
　
（２）原査定の拒絶の理由に引用された、本願出願前に頒布された刊行物である特許第２６４３６９１号公報（以下「刊行物２」という。）には、冷水または温水を空調媒体として用いる外気処理空調機に関し、図面とともに、次の技術的事項が記載されている。
　（ア）「【０００５】
【課題を解決するための手段】かかる目的を達成するために本発明は、冷水または温水を導入する冷温水コイルと、この冷温水コイルを通過した後の冷温水をコンプレッサーの冷却水として導入する直膨コイルとを、外気の通過経路に対して直列に配置することにより構成する。」
　（イ）「【０００６】
【作用】以上の構成により本発明の外気処理空調機にあっては、冷温水コイルと直膨コイルとが直列配置されていることにより、冷温水コイルを通過して温度制御した外気を直膨コイルで再度温度制御することになり、２段冷房が可能となる。従って、この２段冷房により冷房時に供給する冷水を高めに設定することができ、その分、エネルギーを省略することができる。また、かかる２段冷房としたことにより、冷温水コイルで回収した熱を有効に利用して再熱することができるため、温熱源を不要つまり２種類の熱源を必要としないことから温度制御を簡単に行うことができる。」
　（ウ）「【００１０】以上の構成により本実施例の外気処理空調機１０にあっては、ケーシング１２内の外気の流れ方向Ｘに対して、冷温水コイル１４の後流側に直膨コイル１６が直列配置され、冷温水コイル１４を通過した冷温水を直膨コイル１６のコンプレッサー２４の冷却水として用いている。尚、前記直膨コイル１６は、コンプレッサー２４で圧縮された冷媒を流入膨脹させ、このときの断熱膨脹で低温化を図ることができる。」
　
　・記載事項（ウ）の「直膨コイル１６」は、記載事項（イ）の「冷温水コイルを通過して温度制御した外気を直膨コイルで再度温度制御する」ものであって、記載事項（ウ）の「コンプレッサー２４で圧縮された冷媒を流入膨脹させ、このときの断熱膨脹で低温化を図る」ものであるので、冷温水コイルを通過した外気を冷媒により冷却する直膨コイルといえるものであり、また、記載事項（ウ）の「コンプレッサー２４」は、直膨コイル１６に冷媒を循環させるために設けられたコンプレッサ２４といえ、かつ、そのコンプレッサー２４での「圧縮」は、「コンプレッサーの冷却水」による冷却下で行われるものであるので、冷媒の凝縮作用も伴うものともいえる。
　そして、記載事項（ウ）の「冷温水コイル１４を通過した冷温水を直膨コイル１６のコンプレッサー２４の冷却水として用い」る構成は、直膨コイル１６に冷媒を循環させるために設けられたコンプレッサ２４を冷温水コイル１４を通過した冷温水により冷却する機構といえる。
　
　すると、刊行物２には、次の発明（以下「刊行物２記載の発明」という。）が開示されているものということができる。
　「冷温水コイルを通過した外気を冷媒により冷却する直膨コイル１６と、
　外気を温度制御する冷温水コイル１４と、
　直膨コイル１６に冷媒を循環させるために設けられたコンプレッサ２４を冷温水コイル１４を通過した冷温水により冷却する機構と
　を具備する外気処理空調機。」
　
３．本願発明と引用発明との対比
（１）両発明の対応関係
　ア．引用発明の「外気を冷媒により冷却するコイル式の第３熱交換器１９」は、本願発明の「外気を導入して冷媒により冷却あるいは加熱する直膨コイル」に相当する。
　イ．引用発明の「第３熱交換器１９で冷却された外気と還気とを合流させ混合空気とする還気通路７」は、本願発明の「直膨コイルで冷却あるいは加熱された外気と室内からの還気とを混合させて混合空気を生成する混合機構」に相当する。
　ウ．引用発明の「混合空気を導入して冷水によって冷却して設定温度にする第１熱交換器１４のコイル」は、本願発明の「生成された混合空気を導入して冷水又は温水により冷却又は加温して前記室内への給気温度を調節する冷温水コイル」に相当する。
　エ．引用発明の「空調機」は、刊行物１の記載事項（キ）（ク）の「外気を冷却」し、「外気と還気の混合空気は」「第１熱交換器１４のコイルを流れる冷水によって設定温度に冷却され」、「ペリメータゾーン」「インテリアゾーン」を「冷房する。」ものであって、外気導入型といえるものであるので、本願発明の「外気導入型空調機」に相当する。
　オ．引用発明の「凝縮器として機能する第４熱交換器３２」は、本願発明の「直膨コイルに冷媒を循環させるために設けられたコンプレッサ及び凝縮器の少なくとも何れか」に相当する。
　そして、引用発明の「凝縮器として機能する第４熱交換器３２を冷水により冷却する機構」と、本願発明の「前記直膨コイルに冷媒を循環させるために設けられたコンプレッサ及び凝縮器の少なくとも何れかを前記冷温水コイルの冷却あるいは加熱後の還り冷水により冷却あるいは加熱する機構」とは、前記直膨コイルに冷媒を循環させるために設けられたコンプレッサ及び凝縮器の少なくとも何れかを冷水により冷却あるいは加熱する機構である点で共通する。
　
（２）両発明の一致点
「外気を導入して冷媒により冷却あるいは加熱する直膨コイルと、
　この直膨コイルで冷却あるいは加熱された外気と室内からの還気とを混合させて混合空気を生成する混合機構と、
　生成された混合空気を導入して冷水又は温水により冷却又は加温して前記室内への給気温度を調節する冷温水コイルと、
　前記直膨コイルに冷媒を循環させるために設けられたコンプレッサ及び凝縮器の少なくとも何れかを冷水により冷却あるいは加熱する機構と
　を具備する外気導入型空調機。」
　
（３）両発明の相違点
　本願発明は、「前記直膨コイルに冷媒を循環させるために設けられたコンプレッサ及び凝縮器の少なくとも何れかを前記冷温水コイルの冷却あるいは加熱後の還り冷水により冷却あるいは加熱する機構」を具備するのに対して、引用発明は、凝縮器として機能する第４熱交換器３２を冷水により冷却する機構を具備するものの、その冷水は、刊行物１の記載事項（オ）の様な、蓄熱槽１０２から熱源水往管１０４を通り直接供給されるものであって、「冷温水コイルの冷却あるいは加熱後の還り冷水」ではない点。
　
４．本願発明の容易想到性の検討
（１）相違点について
　(a)刊行物２には、刊行物２記載の発明が記載されている。
　そして、刊行物２記載の発明の「直膨コイル１６に冷媒を循環させるために設けられたコンプレッサ２４」は、本願発明の「直膨コイルに冷媒を循環させるために設けられたコンプレッサ及び凝縮器の少なくとも何れか」に相当し、刊行物２記載の発明の「コンプレッサ２４」を「冷温水コイル１４を通過した冷温水により冷却する機構」は、本願発明の「直膨コイルに冷媒を循環させるために設けられたコンプレッサ及び凝縮器の少なくとも何れか」を「冷温水コイルの冷却あるいは加熱後の還り冷水により冷却あるいは加熱する機構」に相当する。
　また、刊行物２記載の発明の「外気処理空調機」は、本願発明の「外気導入型空調機」に相当する。
　さらに、刊行物２記載の発明の「冷温水コイルを通過した外気を冷媒により冷却する直膨コイル１６」と、本願発明の「外気を導入して冷媒により冷却あるいは加熱する直膨コイル」とは、前者の外気が「冷温水コイルを通過した外気」である点では異なるものの、外気を導入して冷媒により冷却あるいは加熱する直膨コイルである点で共通し、刊行物２記載の発明の「外気を温度制御する冷温水コイル１４」と、本願発明の「生成された混合空気を導入して冷水又は温水により冷却又は加温して前記室内への給気温度を調節する冷温水コイル」とは、空気を導入して冷水又は温水により冷却又は加温して給気温度を調節する冷温水コイルである点で共通する。
　そうすると、刊行物２記載の発明は「外気を導入して冷媒により冷却あるいは加熱する直膨コイルと、
　空気を導入して冷水又は温水により冷却又は加温して給気温度を調節する冷温水コイルと、
　前記直膨コイルに冷媒を循環させるために設けられたコンプレッサ及び凝縮器の少なくとも何れかを前記冷温水コイルの冷却あるいは加熱後の還り冷水により冷却あるいは加熱する機構と
　を具備する外気導入型空調機。」
ということが出来るものである。
　(b)そして、引用発明の「空調機」の「凝縮器として機能する第４熱交換器３２を冷水により冷却する機構」の「冷水」と、刊行物２記載の発明の「外気処理空調機」の「直膨コイル１６に冷媒を循環させるために設けられたコンプレッサ２４を冷温水コイル１４を通過した冷温水により冷却する機構」の「冷温水」とは、共に、複数の熱交換器を用いた空調機に用いられる冷凍サイクルの冷媒を冷却する冷水であるという基本機能で共通するものであるので、両者の置換は当業者にとって容易なことである。
　(c)さらに、例えば、刊行物１の記載事項（イ）に「従来の技術」として示されている特開平９−１０５５３９号公報の【００２５】、【００２６】、図４、図５に、第１熱媒対第２熱媒熱交換機１１１（本願発明の「直膨コイルに冷媒を循環させるために設けられたコンプレッサ及び凝縮器の少なくとも何れか」に対応するもの）を、第１熱媒対空気熱交換器１２０（本願発明の「冷温水コイル」に対応するもの）を冷却した後の熱媒により冷却する形式と、第１熱媒対第２熱媒熱交換機１１１を、直接供給された熱媒により冷却する形式とが併記されている様に、両者が従来から相互に置換可能なものとして取り扱われていることから、引用発明の冷凍サイクルの冷媒の冷却を、直接供給される熱媒により冷却する形式に換えて、刊行物２記載の発明の様な他の熱交換器を冷却した後の熱媒により冷却する形式に変更することに、特段の困難性が存在するものでもない。
　(ｄ)そうすると、引用発明の「凝縮器として機能する第４熱交換器３２」（本願発明の「直膨コイルに冷媒を循環させるために設けられたコンプレッサ及び凝縮器の少なくとも何れか」に相当するもの）を「冷水により冷却する」構成として、刊行物２記載の発明の形式を選択して、「冷水」を「冷温水コイルの冷却あるいは加熱後の還り冷水」とし、相違点に係る発明特定事項とすることは当業者が容易に想到し得たことである。
　
（４）総合判断
　本願発明の作用効果は、引用発明、刊行物２記載の発明、及び、周知技術から当業者であれば予測できた範囲のものである。
　すると、本願発明は、引用発明、刊行物２記載の発明、及び、周知技術に基づいて当業者が容易に発明をすることができたものということができる。
　
５．むすび
　したがって、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。